(57)【要約】      （修正有）【課題】ポンプ体による通風機能が十分に発揮できるとともに土踏まず部に滞留される空気を確実に外部に排出することで、靴内の臭気を除去し靴内を清浄に保つ靴を提供する。【解決手段】靴底２の踵部５の内面にポンプ装置収納室８を設け、このポンプ装置収納室８から靴底２の土踏まず部６の内面まで延びる複数の溝路９，９を設け、ポンプ装置収納室８にポンプ装置１０を配置し、ポンプ装置１０は、一体成形した中央ポンプ体１１と両側クッション体１２とを有し、中央ポンプ体１１は、その上面が両側クッション体１２の上面より高く、中央ポンプ体１１に複数の空気送り管１３，１４が連設され、複数の空気送り管１３，１４は、長さが異なり、溝路９，９に配置される。【選択図】図２
0003112234.tif 000002
【実用新案登録請求の範囲】
【請求項１】
靴底の踵部の内面にポンプ装置収納室を設け、このポンプ装置収納室から靴底の土踏まず部の内面まで延びる複数の溝路を設け、収納室にポンプ装置を配置し、ポンプ装置は、一体成形された中央ポンプ体と両側クッション体とを有し、中央ポンプ体は、その上面が両側クッション体の上面より高く、中央ポンプ体に複数の長さが異なる空気送り管が連設され、各空気送り管は溝路に配置されたことを特徴とする靴。
【請求項２】
両側クッション体は、中央ポンプ体を囲むように略Ｕ形に成形されていることを特徴とする請求項１に記載の靴。
【請求項３】
複数の溝路は、長さが異なり、並列配置されていることを特徴とする請求項１または２に記載の靴。
【考案の詳細な説明】
【技術分野】
【０００１】
本考案は、靴内の臭気を除去し靴内を清浄に保つことができる靴に関する。
【背景技術】
【０００２】
靴底の踵部の内部にエアパックを設け、エアパックに連なる空気注入管を靴底の側面に開口し、エアパックの空気圧を調節することでクッション機能を調節する形式の靴は知られている。
【０００３】
また、靴底の踵部の内部にポンプ体を設け、ポンプ体に連なる空気注入管を着用者の足指の領域まで延ばし、ポンプ体に連なる空気排出管を靴底の側面に開口し、空気注入管に逆止弁を設け、空気排出管に排出弁を設け、足指領域の空気を吸入し、靴底の側面から排出させる通風機能を備えた靴は知られている。
【０００４】
また、靴としての商品価値を高めるために、靴底にクッション機能と通風機能の２つの機能を具有する靴は、たとえば、特許文献１に記載されている。
【０００５】
上記靴は、靴底に収納室を設け、収納室内に中空クッション体と空気圧縮体を配置し、中空クッション体に空気注入ノズルを有する空気注入管を連設し、空気圧縮体に排気弁を有する排気管を連設して構成される。
【特許文献１】特開平７−２４６１０４号公報
【考案の開示】
【考案が解決しようとする課題】
【０００６】
上記靴は、歩行時に圧縮体が加圧された時、空気圧縮体の内部の空気が外に排出され、空気圧縮体から荷重が除かれた時、空気圧縮体の復元力により靴の内部の空気が空気圧縮体の内部に導入されるものであるが、中空クッション体と空気圧縮体が同一高さレベルにあるため、空気圧縮体によるポンプ機能が十分に発揮できず、空気滞留しやすい土踏まず部の空気を排出することができないという問題点がある。
【０００７】
本考案は、従来技術の有する問題点を解消し、ポンプ体による通風機能が十分に発揮でき、土踏まず部の滞留しやすい空気を排出でき、靴内の臭気を除去し靴内を清浄に保つことができる靴を提供することを目的とする。
【課題を解決するための手段】
【０００８】
本考案の靴は、靴底の踵部の内面にポンプ装置収納室を設け、このポンプ装置収納室から靴底の土踏まず部の内面まで延びる複数の溝路を設け、収納室にポンプ装置を配置し、ポンプ装置は、一体成形した中央ポンプ体と両側クッション体とを有し、中央ポンプ体は、その上面が両側クッション体ポンプ体の上面より高く、中央ポンプ体に複数の長さが異なる空気送り管が連設され、各空気送り管は溝路に配置されて構成される。
【考案の効果】
【０００９】
本考案によれば、ポンプ装置の中央ポンプ体を両側クッション体より高さを高くしたことで、歩行時における踵による加圧時には、中央ポンプ体が加圧されてから両側クッション体が加圧されるので、中央ポンプ体の内部の空気は強い加圧力で空気送り管を通して土踏まず部の内面に導かれ、土踏まず部の空気とともに外部に排出され、また、中央ポンプ体から荷重が除かれた時には、中央ポンプ体の復元力により靴の内部の空気が土踏まず部を通して中央ポンプ体に導入されるので、ポンプ体による通風機能が十分に発揮できるとともに土踏まず部に滞留する空気を確実に外部に排出することができ、靴内の臭気を除去し靴内を清浄に保つことができる。
【考案を実施するための最良の形態】
【００１０】
以下、本考案による靴の一実施形態を図面を参照しながら説明する。  
図１は、本考案による靴の一部を切り開いて示す斜視図である。
【００１１】
本考案による靴１は、図１に示すように、甲皮２と靴底３とに大きく分けられ、靴底３の上面に中底４が配設されている。甲皮２および中底４は、通常の構成であるから説明を省略する。
【００１２】
上記靴底３は、図２に示すように、踵部５と、土踏まず部６と、つま先部７とを有する。靴底３の踵部５の内面にポンプ装置収納室８が凹設されている。ポンプ装置収納室８から靴底３の土踏まず部６の内面まで延びるように２本の溝路９．９が並列配置されている。２本の溝路９．９のうちの一方の溝路９は土踏まず部６の先端側まで延び、他方の溝路９は土踏まず部６の踵部５側まで延びている。ポンプ装置収納室８には、ポンプ装置１０が配置されている。溝路９．９の本数は、実施例では２本であるが、土踏まず部６に滞留する空気を確実に外部に排出するために３本以上に可変される。
【００１３】
上記ポンプ装置１０は、図１および図２に示すように、ポリウレタン樹脂のような樹脂材料により一体成形された中央ポンプ体１１と両側クッション体１２とを有する。両側クッション体１２は、中央ポンプ体１１を囲むように略Ｕ形に成形されている。中央ポンプ体１１とクッション体１２は、仕切り部を介して独立した空間を形成している。
【００１４】
上記ポンプ装置１０の中央ポンプ体１１には、図２に示すように、２本の空気送り管１３，１４が連設されている。一方の空気送り管１３は、他方の空気送り管１４より長さが長くなっている。各空気送り管１３，１４は、並列配置された溝路９，９にそれぞれ装着される。
【００１５】
上記ポンプ装置１０は、図３に示すように、中央ポンプ体１１の上面が両側クッション体１２の上面より高く設定されている。そのため、着用者が歩行する際、着用者の踵が中央ポンプ体１１を加圧してからクッション体１２に当たるようになっている。着用者の踵は、中央ポンプ体１１とクッション体１２により２段のクッション作用を受けるので、踵に加えられる衝撃を効果的に緩和することができる。
【００１６】
つぎに、本考案による靴の作用を説明する。  
歩行に際して、着用者の踵が靴底２のポンプ装置収納室８に配置されたポンプ装置１０を加圧すると、ポンプ装置１０の中央ポンプ体１１は両側クッション体１２より高い位置にあるので、着用者の踵は、中央ポンプ体１１を加圧して中央ポンプ体１１の内部の空気を押し出してから、クッション体１２に当たる。そのため、着用者の踵は、中央ポンプ体１１とクッション体１２により２段のクッション作用を受けることで、踵に加えられる衝撃を効果的に緩和できる。
【００１７】
中央ポンプ体１１を加圧することで、中央ポンプ体１１から押し出される空気は、２本の空気送り管１３，１４を通って土踏まず部６の内面に導かれる。２本の空気送り管１３，１４は開口端位置が異なっているので、る２本の空気送り管１３，１４から排出される空気は、土踏まず部に滞留する広い範囲の空気とともに中底４を通して靴の外部に排出される。
【００１８】
また、歩行に際して、着用者の踵のポンプ装置１０に加えられる荷重が除かれた時には、中央ポンプ体１１の復元力により、靴の内部の空気が土踏まず部６を通して中央ポンプ体１１に導入され、靴の内部の空気とともに土踏まず部６に滞留する空気も中央ポンプ体１１に戻される。
【図面の簡単な説明】
【００１９】
【図１】本考案による靴の一部を切り開いて示す斜視図である。
【図２】本考案による靴の靴底内面を示す図である。
【図３】図２のＩＩＩ−ＩＩＩ線に沿った断面図である。
【符号の説明】
【００２０】
１  靴
３  靴底
５  踵部
６  土踏まず部
８  ポンプ装置収納室
９  溝路
１０  ポンプ装置
１１  ポンプ体
１２  クッション体
１３  空気送り管
１４  空気送り管
【図１】
0003112234.tif 000003
【図２】
0003112234.tif 000004
【図３】
0003112234.tif 000005